(57)【要約】【課題】  部材（部品）のリブ状部分の傷付きを防止したり、他の部材（部品）を傷付けたりすることを防ぐための傷付き防止材を、簡単かつ安価に製造することができる。【解決手段】  弾性樹脂材料からなるチューブ１２の周壁１３の一個所を略直線状に切開いて切開き線１４を形成した形状の傷付き防止材１１であって、該傷付き防止材１１は部材１のリブ状部分２に上記切開き線１４を介して被着され、上記リブ状部分２の傷付きを防止あるいは上記リブ状部分２によって他の部材が傷付けられることを防止するために使用される。【選択図】      図３
2016155583.tif 000002
【特許請求の範囲】
【請求項１】
弾性樹脂材料からなるチューブの周壁の一個所を略直線状に切開いて切開き線を形成した形状の傷付き防止材であって、該傷付き防止材は部材のリブ状部分に上記切開き線を介して被着され、上記リブ状部分の傷付きを防止あるいは上記リブ状部分によって他の部材が傷付けられることを防止するために使用されることを特徴とする傷付き防止材。
【請求項２】
上記チューブの材料である弾性樹脂材料は、該チューブの５０％つぶし変形時の押付力が３Ｎ〜５０Ｎの範囲になるような材料である請求項１に記載の傷付きい防止材。
【請求項３】
上記チューブの周壁の肉厚は、１ｍｍ〜４ｍｍである請求項１または請求項２に記載の傷付き防止材。
【発明の詳細な説明】
【技術分野】
【０００１】
本発明は、部材のリブ状部分の傷付きを防止する、あるいは上記リブ状部分によって他の部材が傷付けられることを防止するべく使用される傷付き防止材に関するものである。
【背景技術】
【０００２】
従来は、図８に示すように軟質熱可塑性樹脂のシートを使用し、プレス成形、あるいは真空成形等によって中央部に山形形状のリブ部被覆部１３Ａを形成した傷付き防止材１１Ａが提供されている。
【先行技術文献】
【特許文献】
【０００３】
【特許文献１】特開２０１３−２４０７４０号公報
【発明の概要】
【発明が解決しようとする課題】
【０００４】
上記傷付き防止材１１Ａの使用対象である部材（部品）１のリブ状部分２は、例えば自動車等の大量生産商品に存在するから、該リブ状部分２に使用するためには上記傷付き防止材１１Ａを多量に生産することが必要であった。
【０００５】
しかし上記従来の傷付き防止材１１Ａは、上記したように一つ一つがプレス成形、あるいは真空成形によって製造されているので、生産効率が悪く、安価かつ多量に提供することが困難であると云う問題点を孕んでいた。
【課題を解決するための手段】
【０００６】
本発明は、上記従来の課題を解決するための手段として、弾性樹脂材料からなるチューブの周壁の一個所を略直線状に切開いて切開き線を形成した形状の傷付き防止材であって、該傷付き防止材は部材のリブ状部分に上記切開き線を介して被着され、上記リブ状部分の傷付きを防止あるいは上記リブ状部分によって他の部材が傷付けられることを防止するために使用されることを特徴とする傷付き防止材を提供するものである。
上記チューブの材料である弾性樹脂材料は、該チューブの５０％つぶし変形時の押付力が３Ｎ〜５０Ｎの範囲になるような材料であることが望ましい。
また、通常上記チューブの周壁の肉厚は、１ｍｍ〜４ｍｍに設定する。
【発明の効果】
【０００７】
〔作用〕
本発明の傷付き防止材１１は、弾性樹脂材料からなるチューブ１２の周壁１３の一個所を略直線状に切開いて切開き線１４を形成した形状のものである。上記弾性樹脂材料からなるチューブ１２は、数多く種々なサイズのものが市販されているから、所定のサイズのものが容易に入手出来る。したがって、上記市販のチューブ１２を入手して、その周壁１３の一個所をハサミやナイフ等で切開いて切開き線１４を形成するだけで、極めて簡単に本発明の傷付き防止材１１を製造することが出来る。
本発明の傷付き防止材１１は切開き線１４から手で開いて、対象とする部材（部品）１のリブ状部分２にかぶせ、手を離せば弾性的に復元し、該リブ状部分２を弾性復元力によって挟んで取付ける。このように上記傷付き防止材１１は、弾性復元力を有するため、幾度も繰り返して使用することが可能である。
本発明の傷付き防止材１１を手で開き易くし、かつリブ状部分２に外れたりずれたりしないようにしっかり取付けるためには、該傷付き防止材１１を構成するチューブ１２の弾性樹脂材料として、該チューブ１２の５０％つぶし変形時の押付力が３Ｎ〜５０Ｎの範囲になるような材料を選択する。
チューブ１２の弾性特性は、チューブ１２の周壁の肉厚にも影響されるが、上記押付力３Ｎ〜５０Ｎの範囲に設定するために適した肉厚は、１ｍｍ〜４ｍｍである。
〔効果〕
本発明の傷付き防止材１１は、既製の弾性樹脂材料からなるチューブをハサミやナイフ等で簡単に切開くことによって製造可能であり、大量生産も容易である。そして本発明の傷付き防止材１１は保護対象のリブ状部分２に手で簡単に、しかも強固に取付けられ、該リブ状部分２が他の部材に当たって傷付けられたり、あるいは該リブ状部分２が他の部材を傷付けたりすることを確実に防止する。
【図面の簡単な説明】
【０００８】
【図１】本発明の一実施例を示す傷付き防止材の斜視図。
【図２】本発明の一実施例の傷付き防止材をリブ状部分に取付ける場合の説明図。
【図３】本発明の一実施例の傷付き防止材をリブ状部分に取り付けた状態の正断面図。
【図４】（ａ），（ｂ）押付力測定説明図。
【図５】本発明の応用例を示す自動車（乗用車）のインストルメントパネル付近の説明図。
【図６】図５におけるＡ−Ａ断面図。
【図７】インストルメントパネルのディスプレイ側の側縁部の部分斜視図。
【図８】従来の傷付き防止材をリブ状部分に取り付けた状態の正断面図。
【発明を実施するための形態】
【０００９】
本発明の一実施例を図１〜図３に示す。
図１に示す傷付き防止材１１において、１２は原体であるチューブであり、該チューブ１２の外周（周壁１３）の所定個所を、軸方向に沿ってナイフ、ハサミ等で切り開くことで、切開き線１４が形成される。
上記傷付き防止材１１は、図２に示すように、手（指Ｆ）で切開き線１４から開いて対象とする部材１のリブ状部分２に被着する（図３参照）。このようにして、該リブ状部分２が傷付いたり、あるいは該リブ状部分２によって他の部材が傷付いたりすることが防止される。
また、上記傷付き防止材１１は、下記のような押付力に基づく弾性復元力を有している。このため、１度の使用で使い捨てされることなく、幾度も繰り返して使用される。更に、該弾性復元力を利用することで、例えば上記リブ状部分２よりもサイズの大きなリブ状部分に被着したり、あるいは上記リブ状部分２よりもサイズの小さなリブ状部分に被着したりする等のように、被着する部分のサイズ差にも対応することが可能である。
【００１０】
上記傷付き防止材１１のチューブ１２の材料としては、シリコンゴム、ウレタンゴム、イソプレンゴム、クロロプレンゴム、アクリルゴム、ニトリル・ブタジエンゴム、ニトリル・クロロプレンゴム、スチレン・ブタジエンゴム、スチレン・クロロプレンゴム、スチレン・イソプレンゴム等の合成ゴム、あるいは天然ゴム等の弾性樹脂材料が例示される。
上記本発明に適する弾性樹脂材料としては、図４に示すように、イマダプッシュプルスケール型式ＰＳ（株式会社イマダ製）３を使用し、アタッチメント４としては、平型を装着して素材としてのチューブ１１に、上方から該プッシュプルスケール３のアタッチメント４〈平型）を押圧し、該チューブ１１を径方向に潰して変形させるとともに、その変形量が直径ｄの５０％（０．５ｄ）の時の押付力を測定し、該押付力が３Ｎ〜５０Ｎの範囲になるような材料を選択することが好ましい。
該押付力が３Ｎに満たない材料の場合は弾性復元力が弱く、このような材料からなる傷付き防止材１１を使用すると、リブ状部分２に対する固定力が不足し、使用中にずれたり外れたりするおそれがある。該押付力が５０Ｎを越えると、図２に示すように傷付き防止材１１を手で開く場合、チューブ１２が硬過ぎて手で開きにくくなる。
本発明の傷付き防止材１１として使用出来るチューブ１２の押付力測定結果を表１に示す。
【００１１】
【表１】
2016155583.tif 000003
【００１２】
本発明の傷付き防止材１１は、図３に示すように、部材（部品）１のリブ状部分２を被覆し、該リブ状部分２が他の部材（部品）１に当たって傷付いたり、該リブ状部分２が他の部材（部品）に当たって該部材（部品）を傷付けたりすることを確実に防止する。
【００１３】
図５および図６には、本発明の応用例が示される。
図５は自動車（乗用車）の車室前面の模式図であり、インストルメントパネル２１の中央部には表示板装着部２２が設けられており、該表示板装着部２２には速度、シフト状態、気温等を表示する表示板（ディスプレイ２３）がフレーム２４を介して嵌着されており、その下側にはエアコン操作パネル２５が組込まれ、該オーディオ装置２５に続いてはシフトレバー（図示略）が設けられたシフトパネル２６等が続いている。
上記インストルメントパネル２１においては、本体２１Ａの下側にはオーナメント２１Ｂ（例えば、木目調）が配されている。そして該インストルメントパネル２１の下側にはグローボックス２８が配されている。
上記構成において、該インストルメントパネル２１とディスプレイ２３のフレーム２４との境界部分のＡ−Ａ断面図を図６に、斜視図を図７に示す。図に示すように、該インストルメントパネル本体２１Ａのディスプレイ２３側の側縁部には、ディスプレイ２３のフレーム２４を受ける段部２１１Ａが形成されている。該段部２１１Ａの先端縁付近は、該インストルメントパネル２１を搬送したり、車体に組付けたりする際、他の部材（部品）と衝突して傷付いたり、他の部材（部品）を傷付けたりする恐れがある。そこで該段部２１１Ａの端縁部分を本発明のリブ状部分として傷付き防止材１１を被着する。
【産業上の利用可能性】
【００１４】
本発明の傷付き防止材は、極めて簡単かつ安価に出来るので、産業上利用可能である。
【符号の説明】
【００１５】
１              部材（部品）
２              リブ状部分
３              プッシュプルスケール
１１            傷付き防止材
１２            チューブ
１３            周壁
１４            切開き線
【図１】
2016155583.tif 000004
【図２】
2016155583.tif 000005
【図３】
2016155583.tif 000006
【図４】
2016155583.tif 000007
【図５】
2016155583.tif 000008
【図６】
2016155583.tif 000009
【図７】
2016155583.tif 000010
【図８】
2016155583.tif 000011